(57)【要約】【課題】電力需要施設における電力消費を状況に応じて適切に制御することができる電力消費管理装置、電力消費管理方法および電力消費管理プログラムを提供する。【解決手段】電力消費管理装置は、複数の電力需要施設における電力消費を管理する電力消費管理装置であって、１または複数の電力供給側から電力消費に関する電力管理情報を取得する管理情報取得部と、前記電力管理情報に基づいて、前記電力需要施設における電力消費に関する指示情報を前記電力需要施設に通知する指示処理を行う指示部と、前記指示情報を通知した前記電力需要施設における電力消費を監視する監視部とを備え、前記指示部は、前記電力管理情報および前記監視部の監視結果に基づいて、前記指示処理の内容を変更する。【選択図】図４
2015116038.tif 000002
【特許請求の範囲】
【請求項１】
複数の電力需要施設における電力消費を管理する電力消費管理装置であって、
１または複数の電力供給側から電力消費に関する電力管理情報を取得する管理情報取得部と、
前記電力管理情報に基づいて、前記電力需要施設における電力消費に関する指示情報を前記電力需要施設に通知する指示処理を行う指示部と、
前記指示情報を通知した前記電力需要施設における電力消費を監視する監視部とを備え、
前記指示部は、前記電力管理情報および前記監視部の監視結果に基づいて、前記指示処理の内容を変更する、電力消費管理装置。
【請求項２】
前記指示部は、前記指示処理の内容の変更として、１または複数の新たな前記電力需要施設に新たな前記指示情報を通知するか、または、前記指示情報を通知した前記電力需要施設に異なる内容の前記指示情報を通知する、請求項１に記載の電力消費管理装置。
【請求項３】
前記電力消費管理装置は、さらに、
前記電力需要施設における電力消費の基準となる基準電力消費情報を取得する基準情報取得部を備え、
前記指示部は、前記電力管理情報と、前記監視部の監視結果と、前記基準電力消費情報とに基づいて、前記指示処理の内容を変更する、請求項１または請求項２に記載の電力消費管理装置。
【請求項４】
前記電力消費管理装置は、さらに、
各前記電力需要施設に付与された優先度または優先順位を示す優先情報を取得する優先情報取得部を備え、
前記指示部は、前記優先情報に基づいて、前記各電力需要施設の中から新たな前記指示情報を通知すべき前記電力需要施設を選択する、請求項１から請求項３のいずれか１項に記載の電力消費管理装置。
【請求項５】
前記電力消費管理装置は、さらに、
前記電力需要施設に対して過去に前記指示情報を通知したタイミングを示すタイミング情報を取得するタイミング情報取得部を備え、
前記指示部は、前記優先情報および前記タイミング情報の少なくともいずれか一方に基づいて、前記各電力需要施設の中から新たな前記指示情報を通知すべき前記電力需要施設を選択する、請求項４に記載の電力消費管理装置。
【請求項６】
前記電力消費管理装置は、さらに、
前記電力需要施設の前記電力供給側から供給される電力量に関する電力量情報を取得する電力量情報取得部を備え、
前記指示部は、前記優先情報および前記電力量情報の少なくともいずれか一方に基づいて、前記各電力需要施設の中から新たな前記指示情報を通知すべき前記電力需要施設を選択する、請求項４または請求項５に記載の電力消費管理装置。
【請求項７】
前記電力消費管理装置は、さらに、
前記電力需要施設における電力消費の基準となる基準電力消費情報を取得する基準情報取得部を備え、
前記指示部は、前記基準電力消費情報と前記電力需要施設における電力消費を監視した結果との比較を、複数の前記電力需要施設の各々について行い、前記優先情報および比較結果の少なくともいずれか一方に基づいて、比較した各前記電力需要施設の中から新たな前記指示情報を通知すべき前記電力需要施設を選択する、請求項４から請求項６のいずれか１項に記載の電力消費管理装置。
【請求項８】
前記電力消費管理装置は、さらに、
前記電力需要施設における電力消費の予測値を取得する予測値取得部を備え、
前記指示部は、前記予測値と前記電力需要施設における電力消費を監視した結果との比較を、複数の前記電力需要施設の各々について行い、前記優先情報および比較結果の少なくともいずれか一方に基づいて、比較した前記各電力需要施設の中から新たな前記指示情報を通知すべき前記電力需要施設を選択する、請求項４から請求項７のいずれか１項に記載の電力消費管理装置。
【請求項９】
前記電力消費管理装置は、さらに、
前記電力需要施設における電力消費の基準となる基準電力消費情報を取得する基準情報取得部と、
前記電力需要施設における電力消費の予測値を取得する予測値取得部を備え、
前記指示部は、前記基準電力消費情報と前記予測値との比較を、複数の前記電力需要施設の各々について行い、前記優先情報および比較結果の少なくともいずれか一方に基づいて、比較した前記各電力需要施設の中から新たな前記指示情報を通知すべき前記電力需要施設を選択する、請求項４から請求項８のいずれか１項に記載の電力消費管理装置。
【請求項１０】
前記電力消費管理装置は、さらに、
前記電力需要施設における電力消費の基準となる基準電力消費情報を取得する基準情報取得部を備え、
前記指示部は、前記監視結果と前記基準電力消費情報との比較を、複数の前記電力需要施設の各々について行い、前記優先情報および比較結果の少なくともいずれか一方に基づいて、比較した前記各電力需要施設の中から新たな前記指示情報を通知すべき前記電力需要施設を選択する、請求項４から請求項９のいずれか１項に記載の電力消費管理装置。
【請求項１１】
複数の電力需要施設における電力消費を管理する電力消費管理装置における電力消費管理方法であって、
１または複数の電力供給側から電力消費に関する電力管理情報を取得するステップと、
前記電力管理情報に基づいて、前記電力需要施設における電力消費に関する指示情報を前記電力需要施設に通知する指示処理を行うステップと、
前記指示情報を通知した前記電力需要施設における電力消費を監視するステップと、
前記電力管理情報および前記監視部の監視結果に基づいて、内容を変更した前記指示処理を行うステップとを含む、電力消費管理方法。
【請求項１２】
複数の電力需要施設における電力消費を管理する電力消費管理装置において用いられる電力消費管理プログラムであって、
コンピュータに、
１または複数の電力供給側から電力消費に関する電力管理情報を取得するステップと、
前記電力管理情報に基づいて、前記電力需要施設における電力消費に関する指示情報を前記電力需要施設に通知する指示処理を行うステップと、
前記指示情報を通知した前記電力需要施設における電力消費を監視するステップと、
前記電力管理情報および前記監視部の監視結果に基づいて、内容を変更した前記指示処理を行うステップとを実行させるための、電力消費管理プログラム。
【発明の詳細な説明】
【技術分野】
【０００１】
本発明は、電力消費管理装置、電力消費管理方法および電力消費管理プログラムに関し、特に、複数の電力需要施設における電力消費を管理する電力消費管理装置、電力消費管理方法および電力消費管理プログラムに関する。
【背景技術】
【０００２】
従来、電力需給が逼迫している場合等に一般家庭およびオフィス等の電力需要施設における電力消費が抑制されるように、複数の電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部と、を備える。
【先行技術文献】
【特許文献】
【０００４】
【特許文献１】特開２０１２−２０５３５８号公報
【特許文献２】特開２０１３−１６１１４４号公報
【発明の概要】
【発明が解決しようとする課題】
【０００５】
また、節電を目的として、ビル等へのＢＥＭＳ（Ｂｕｉｌｄｉｎｇ  Ｅｎｅｒｇｙ  Ｍａｎａｇｅｍｅｎｔ  Ｓｙｓｔｅｍ）の導入が行われている。ＢＥＭＳとは、ビル等で使用される電力量を監視し、ビル内の機器または設備等の運転状態を管理することによって、ビル等の電力消費量の削減を図るためのシステムである。ＢＥＭＳは、ＢＥＭＳアグリゲータと呼ばれる事業者等により導入される。ＢＥＭＳアグリゲータは、集中管理システムを設置し、ＢＥＭＳを導入したビル等に対してエネルギー管理支援サービスを行う。
【０００６】
電力会社は、多くのビル等にＢＥＭＳが導入されることにより、電力需要の調整を行わせることが容易となる。たとえば、電力会社は、電力需給の逼迫が予測される場合に、ＢＥＭＳアグリゲータに対して予め節電要請を行う。そして、ＢＥＭＳアグリゲータは、各ビルの需要家に対して節電要請を行うとともに、たとえば、各ビルの空調および照明等を制御して電力の消費を抑制する。
【０００７】
しかしながら、上記のように、電力需給の逼迫が予測される場合等に各施設の需要家に対して節電要請を予め送信した場合、当該節電要請を受信した需要家が、対象期間において当該節電要請に従った電力消費の抑制を行うことが困難な状況となることがあり、このような場合、適切な電力制御を行うことができないという問題がある。
【０００８】
この発明は、上述の課題を解決するためになされたもので、その目的は、電力需要施設における電力消費を状況に応じて適切に制御することができる電力消費管理装置、電力消費管理方法および電力消費管理プログラムを提供することである。
【課題を解決するための手段】
【０００９】
（１）上記課題を解決するために、この発明のある局面に係わる電力消費管理装置は、複数の電力需要施設における電力消費を管理する電力消費管理装置であって、１または複数の電力供給側から電力消費に関する電力管理情報を取得する管理情報取得部と、前記電力管理情報に基づいて、前記電力需要施設における電力消費に関する指示情報を前記電力需要施設に通知する指示処理を行う指示部と、前記指示情報を通知した前記電力需要施設における電力消費を監視する監視部とを備え、前記指示部は、前記電力管理情報および前記監視部の監視結果に基づいて、前記指示処理の内容を変更する。
【００１０】
（１１）上記課題を解決するために、この発明のある局面に係わる電力消費管理方法は、複数の電力需要施設における電力消費を管理する電力消費管理装置における電力消費管理方法であって、１または複数の電力供給側から電力消費に関する電力管理情報を取得するステップと、前記電力管理情報に基づいて、前記電力需要施設における電力消費に関する指示情報を前記電力需要施設に通知する指示処理を行うステップと、前記指示情報を通知した前記電力需要施設における電力消費を監視するステップと、前記電力管理情報および前記監視部の監視結果に基づいて、内容を変更した前記指示処理を行うステップとを含む。
【００１１】
（１２）上記課題を解決するために、この発明のある局面に係わる電力消費管理プログラムは、複数の電力需要施設における電力消費を管理する電力消費管理装置において用いられる電力消費管理プログラムであって、コンピュータに、１または複数の電力供給側から電力消費に関する電力管理情報を取得するステップと、前記電力管理情報に基づいて、前記電力需要施設における電力消費に関する指示情報を前記電力需要施設に通知する指示処理を行うステップと、前記指示情報を通知した前記電力需要施設における電力消費を監視するステップと、前記電力管理情報および前記監視部の監視結果に基づいて、内容を変更した前記指示処理を行うステップとを実行させるためのプログラムである。
【００１２】
本発明は、このような特徴的な処理部を備える電力消費管理装置の一部または全部を実現する半導体集積回路として実現することができる。
【発明の効果】
【００１３】
本発明によれば、電力需要施設における電力消費を状況に応じて適切に制御することができる。
【図面の簡単な説明】
【００１４】
【図１】図１は、本発明の実施の形態に係る電力消費管理システムの構成を示す図である。
【図２】図２は、本発明の実施の形態に係る電力消費管理システムの電力消費管理装置による指示処理の一例を示す図である。
【図３】図３は、本発明の実施の形態に係る電力消費管理システムの電力消費管理装置による指示処理の一例を示す図である。
【図４】図４は、本発明の実施の形態に係る電力消費管理システムの電力消費管理装置の構成を示す図である。
【図５】図５は、本発明の実施の形態に係る電力消費管理システムの電力消費管理装置における記憶部に記憶されている優先情報の一例を示す図である。
【図６】図６は、本発明の実施の形態に係る機器管理システムによる電力消費管理の動作手順を示すシーケンス図である。
【図７】図７は、図６に示す監視処理の詳細な動作手順を示すフローチャートである。
【図８】図８は、本発明の実施の形態に係る電力消費管理システムの電力会社サーバによる基準値の算出に用いられるテーブルの一例を示す図である。
【図９】図９は、本発明の実施の形態に係る電力消費管理システムの電力消費管理装置に記憶される、過去に指示情報を通知した需要家装置による電気機器の動作の制御内容等を含むテーブルの一例を示す図である。
【図１０】図１０は、本発明の実施の形態に係る電力消費管理システムの電力消費管理装置に記憶される、各電力需要施設のイベント情報を含むテーブルの一例を示す図である。
【発明を実施するための形態】
【００１５】
最初に、本発明の実施形態の内容を列記して説明する。
【００１６】
（１）本発明の実施の形態に係る電力消費管理装置は、複数の電力需要施設における電力消費を管理する電力消費管理装置であって、１または複数の電力供給側から電力消費に関する電力管理情報を取得する管理情報取得部と、前記電力管理情報に基づいて、前記電力需要施設における電力消費に関する指示情報を前記電力需要施設に通知する指示処理を行う指示部と、前記指示情報を通知した前記電力需要施設における電力消費を監視する監視部とを備え、前記指示部は、前記電力管理情報および前記監視部の監視結果に基づいて、前記指示処理の内容を変更する。
【００１７】
このように、指示情報の通知先である電力需要施設における電力消費の制御状況をリアルタイムで監視し、監視結果および電力管理情報に基づいて指示処理の内容を変更する構成により、電力需要施設における電力消費を状況に応じて適切に制御することができる。
【００１８】
（２）好ましくは、前記指示部は、前記指示処理の内容の変更として、１または複数の新たな前記電力需要施設に新たな前記指示情報を通知するか、または、前記指示情報を通知した前記電力需要施設に異なる内容の前記指示情報を通知する。
【００１９】
このように、たとえば、通知された指示情報に従った電力消費制御を行うことが困難な電力需要施設が存在する場合であっても、他の電力需要施設に対する新たな指示情報の通知または同一の電力需要施設に対する異なる内容の指示情報の通知を行うことにより、電力供給側からの要請等に応じた電力消費の制御を行うことができる。
【００２０】
（３）好ましくは、前記電力消費管理装置は、さらに、前記電力需要施設における電力消費の基準となる基準電力消費情報を取得する基準情報取得部を備え、前記指示部は、前記電力管理情報と、前記監視部の監視結果と、前記基準電力消費情報とに基づいて、前記指示処理の内容を変更する。
【００２１】
このように、電力管理情報と、監視部の監視結果とに加えて、電力需要施設における電力消費の基準を考慮して指示処理の内容を変更するか否かを判断する構成により、指示処理の内容の変更の必要性をより適切に判断することができる。
【００２２】
（４）好ましくは、前記電力消費管理装置は、さらに、各前記電力需要施設に付与された優先度または優先順位を示す優先情報を取得する優先情報取得部を備え、前記指示部は、前記優先情報に基づいて、前記各電力需要施設の中から新たな前記指示情報を通知すべき前記電力需要施設を選択する。
【００２３】
このような構成により、新たな指示情報の通知先として優先的に選択すべき電力需要施設を容易に判断することができる。
【００２４】
（５）より好ましくは、前記電力消費管理装置は、さらに、前記電力需要施設に対して過去に前記指示情報を通知したタイミングを示すタイミング情報を取得するタイミング情報取得部を備え、前記指示部は、前記優先情報および前記タイミング情報の少なくともいずれか一方に基づいて、前記各電力需要施設の中から新たな前記指示情報を通知すべき前記電力需要施設を選択する。
【００２５】
このような構成により、たとえば同一の電力需要施設に対して複数回連続して指示情報を通知することを避け、複数の電力需要施設間での電力削減の偏りを防ぐことができる。
【００２６】
（６）好ましくは、前記電力消費管理装置は、さらに、前記電力需要施設の前記電力供給側から供給される電力量に関する電力量情報を取得する電力量情報取得部を備え、前記指示部は、前記優先情報および前記電力量情報の少なくともいずれか一方に基づいて、前記各電力需要施設の中から新たな前記指示情報を通知すべき前記電力需要施設を選択する。
【００２７】
このような構成により、電力供給側から供給される電力量が大きい電力需要施設など、比較的容易に電力消費の抑制等を行うことが可能な電力需要施設を、新たな指示情報の通知先として選択することができる。
【００２８】
（７）好ましくは、前記電力消費管理装置は、さらに、前記電力需要施設における電力消費の基準となる基準電力消費情報を取得する基準情報取得部を備え、前記指示部は、前記基準電力消費情報と前記電力需要施設における電力消費を監視した結果との比較を、複数の前記電力需要施設の各々について行い、前記優先情報および比較結果の少なくともいずれか一方に基づいて、比較した各前記電力需要施設の中から新たな前記指示情報を通知すべき前記電力需要施設を選択する。
【００２９】
このように、電力消費の基準となる情報と電力需要施設における実際の電力消費とを比較することにより、たとえば当該電力需要施設において抑制することのできる電力量を把握し、新たな指示情報の通知先として適切な電力需要施設を選択することができる。
【００３０】
（８）好ましくは、前記電力消費管理装置は、さらに、前記電力需要施設における電力消費の予測値を取得する予測値取得部を備え、前記指示部は、前記予測値と前記電力需要施設における電力消費を監視した結果との比較を、複数の前記電力需要施設の各々について行い、前記優先情報および比較結果の少なくともいずれか一方に基づいて、比較した前記各電力需要施設の中から新たな前記指示情報を通知すべき前記電力需要施設を選択する。
【００３１】
このように、電力需要施設による電力消費の予測値と当該電力需要施設における実際の電力消費とを比較することにより、たとえば当該電力需要施設において抑制することのできる電力量を把握し、新たな指示情報の通知先として適切な電力需要施設を選択することができる。
【００３２】
（９）好ましくは、前記電力消費管理装置は、さらに、前記電力需要施設における電力消費の基準となる基準電力消費情報を取得する基準情報取得部と、前記電力需要施設における電力消費の予測値を取得する予測値取得部を備え、前記指示部は、前記基準電力消費情報と前記予測値との比較を、複数の前記電力需要施設の各々について行い、前記優先情報および比較結果の少なくともいずれか一方に基づいて、比較した前記各電力需要施設の中から新たな前記指示情報を通知すべき前記電力需要施設を選択する。
【００３３】
このように、電力需要施設による電力消費の予測値と電力消費の基準となる情報との比較を行うことにより、当該電力需要施設における電力消費の傾向を把握することができるため、新たな指示情報の通知先として適切な電力需要施設を選択することができる。
【００３４】
（１０）好ましくは、前記電力消費管理装置は、さらに、前記電力需要施設における電力消費の基準となる基準電力消費情報を取得する基準情報取得部を備え、前記指示部は、前記監視結果と前記基準電力消費情報との比較を、複数の前記電力需要施設の各々について行い、前記優先情報および比較結果の少なくともいずれか一方に基づいて、比較した前記各電力需要施設の中から新たな前記指示情報を通知すべき前記電力需要施設を選択する。
【００３５】
このように、電力需要施設による現時点における電力消費の監視結果と、電力消費の基準となる情報との比較を行うことにより、現時点における電力需要施設による電力消費の傾向を把握することができるため、新たな指示情報の通知先として適切な電力需要施設を選択することができる。
【００３６】
（１１）本発明の実施の形態に係る電力消費管理方法は、複数の電力需要施設における電力消費を管理する電力消費管理装置における電力消費管理方法であって、１または複数の電力供給側から電力消費に関する電力管理情報を取得するステップと、前記電力管理情報に基づいて、前記電力需要施設における電力消費に関する指示情報を前記電力需要施設に通知する指示処理を行うステップと、前記指示情報を通知した前記電力需要施設における電力消費を監視するステップと、前記電力管理情報および前記監視部の監視結果に基づいて、内容を変更した前記指示処理を行うステップとを含む。
【００３７】
このように、指示情報の通知先である電力需要施設における電力消費の制御状況をリアルタイムで監視し、監視結果および電力管理情報に基づいて指示処理の内容を変更することにより、電力需要施設における電力消費を状況に応じて適切に制御することができる。
【００３８】
（１２）本発明の実施の形態に係る電力消費管理プログラムは、複数の電力需要施設における電力消費を管理する電力消費管理装置において用いられる電力消費管理プログラムであって、コンピュータに、１または複数の電力供給側から電力消費に関する電力管理情報を取得するステップと、前記電力管理情報に基づいて、前記電力需要施設における電力消費に関する指示情報を前記電力需要施設に通知する指示処理を行うステップと、前記指示情報を通知した前記電力需要施設における電力消費を監視するステップと、前記電力管理情報および前記監視部の監視結果に基づいて、内容を変更した前記指示処理を行うステップとを実行させるためのプログラムである。
【００３９】
このように、指示情報の通知先である電力需要施設における電力消費の制御状況をリアルタイムで監視し、監視結果および電力管理情報に基づいて指示処理の内容を変更することにより、電力需要施設における電力消費を状況に応じて適切に制御することができる。
【００４０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４１】
［構成および基本動作］
（システム全体の概要）
図１は、本発明の実施の形態に係る電力消費管理システムの構成を示す図である。
【００４２】
図１を参照して、本発明の実施の形態に係る電力消費管理システム２０１は、電力会社サーバ１０１と、電力消費管理装置１０２と、複数の需要家装置１５１とを備える。
【００４３】
電力会社サーバ１０１は、電力供給側である電力会社等により運用され、電力消費に関する電力管理情報を電力消費管理装置１０２へ送信する。この電力管理情報は、電力需給の逼迫が予想される期間を示す情報、日別もしくは時間帯別の電気料金情報、または、電力の節電要請を示す情報などである。
【００４４】
需要家装置１５１は、電力会社から電力の供給を受けるビル、工場または家庭などの電力需要施設に設けられている。需要家装置１５１は、電力需要施設における電気機器の動作を制御することによって消費電力の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置であり、たとえばＢＥＭＳアグリゲータと呼ばれる事業者等により導入される。
【００４５】
電力消費管理装置１０２は、複数の需要家装置１５１と通信を行うことにより、複数の電力需要施設における電力消費を集中して管理する。具体的には、電力消費管理装置１０２は、電力会社サーバ１０１から電力管理情報を受信すると、受信した電力管理情報に基づいて電力消費に関する指示情報を１または複数の需要家装置１５１に通知する指示処理を行う。
【００４６】
たとえば、電力消費管理装置１０２は、受信した電力管理情報に基づいて、電力消費を抑制すべき節電期間、および、抑制すべき電力量を示す節電目標等を設定し、設定した節電期間および節電目標等を示す指示情報を１または複数の需要家装置１５１へ通知する。
【００４７】
また、電力消費管理装置１０２は、指示情報を通知した各需要家装置１５１における電力消費を監視し、監視結果に基づいて指示処理の内容を変更する。たとえば、電力消費管理装置１０２は、節電期間において各需要家装置１５１による電力消費を継続して監視し、節電目標が達成できない状況にあると判断した場合には、新たな指示情報を１または複数の需要家装置１５１へ通知する。なお、監視結果に基づいて新たに通知される指示情報を、以下「追加指示情報」と称する。
【００４８】
（具体例１）
図２は、本発明の実施の形態に係る電力消費管理システムの電力消費管理装置による指示処理の一例を示す図である。
【００４９】
図２を参照して、電力消費管理システム２０１には、需要家装置１５１Ａ，１５１Ｂ，１５１Ｃ，１５１Ｄが含まれているとする。
【００５０】
まず、電力消費管理装置１０２は、時刻ｔ１から時刻ｔ２の期間において電力需給の逼迫が予測されることを示す電力管理情報を電力会社サーバ１０１から受信する。
【００５１】
次に、電力消費管理装置１０２は、需要家装置１５１Ａ，１５１Ｂ，１５１Ｃ，１５１Ｄの中から指示情報の通知先として１または複数の需要家装置１５１を選択する。ここでは、電力消費管理装置１０２は、需要家装置１５１Ａ，１５１Ｂ，１５１Ｃの３つの需要家装置１５１を選択する。
【００５２】
また、電力消費管理装置１０２は、長期間に亘る電力消費の抑制による各電力需要施設の負担を軽減させるため、時刻ｔ１から時刻ｔ２までの期間を、たとえば、指示情報の通知先として選択した需要家装置１５１の数、具体的には３つのサブ節電期間に分割する。そして、電力消費管理装置１０２は、分割した各サブ節電期間を、指示情報の通知先として選択した各需要家装置１５１に割り当てる。
【００５３】
なお、電力消費管理装置１０２は、たとえば、時刻ｔ１から時刻ｔ２までの期間を所定時間ごとに区切られた複数のサブ節電期間に分割し、分割した各サブ節電期間を、指示情報の通知先として選択した各需要家装置１５１に割り当てる構成であっても良い。
【００５４】
ここでは、電力消費管理装置１０２は、時刻ｔ１から時刻ｔ２までの期間を、期間Ａ、期間Ｂおよび期間Ｃの３つのサブ節電期間に分割し、期間Ａを需要家装置１５１Ａに割り当て、期間Ｂを需要家装置１５１Ｂに割り当て、期間Ｃを需要家装置１５１Ｃに割り当てる。
【００５５】
次に、電力消費管理装置１０２は、各サブ節電期間における節電目標Ｇａ，Ｇｂ，Ｇｃを設定し、期間Ａおよび節電目標Ｇａを示す節電要請を指示情報として需要家装置１５１Ａに通知し、期間Ｂおよび節電目標Ｇｂを示す節電要請を指示情報として需要家装置１５１Ｂに通知し、期間Ｃおよび節電目標Ｇｃを示す節電要請を指示情報として需要家装置１５１Ｃに通知する指示処理を行う。
【００５６】
次に、需要家装置１５１Ａ，１５１Ｂ，１５１Ｃは、時刻ｔ１から時刻ｔ２の期間において、電力消費管理装置１０２から受信した指示情報に従い、自己が設けられている電力需要施設の電気機器の動作を制御する。たとえば、需要家装置１５１Ａ，１５１Ｂ，１５１Ｃは、空調の設定温度を上げるなどの制御を行うことにより、消費電力の削減を図る。
【００５７】
これにより、時刻ｔ１から時刻ｔ２の期間において、需要家装置１５１Ａ，１５１Ｂ，１５１Ｃ，１５１Ｄがそれぞれ設けられている電力需要施設における消費電力の合計（図２下の実線のグラフ）は、電力消費管理装置１０２による指示処理が行われなかったと仮定した場合における消費電力の合計（図２下の破線のグラフ）と比較して減少する。
【００５８】
（具体例２）
図３は、本発明の実施の形態に係る電力消費管理システムの電力消費管理装置による指示処理の一例を示す図である。
【００５９】
図３を参照して、ここでは、図２に示す場合と同様に、電力消費管理装置１０２は、期間Ａおよび節電目標Ｇａを示す節電要請を指示情報として需要家装置１５１Ａに通知し、期間Ｂおよび節電目標Ｇｂを示す節電要請を指示情報として需要家装置１５１Ｂに通知し、期間Ｃおよび節電目標Ｇｃを示す節電要請を指示情報として需要家装置１５１Ｃに通知する指示処理を、時刻ｔ１よりも前に行う。
【００６０】
次に、需要家装置１５１Ｂが設けられている電力需要施設が、期間Ｂにおいて指示情報に従った電力消費の抑制を行うことが困難な状況となり、電力消費管理装置１０２がタイミングｔ３において、期間Ｂにおける節電目標Ｇｂが達成できない状況にあると判断する。
【００６１】
そして、電力消費管理装置１０２は、時刻ｔ１よりも前に行った指示処理の内容を変更して、たとえば、タイミングｔ３から期間Ｂの終了までの期間を示す節電要請を追加指示情報として需要家装置１５１Ｄに通知する。そして、需要家装置１５１Ｄは、電力消費管理装置１０２から受信した指示情報に従い、自己が設けられている電力需要施設における電気機器の動作を制御する。
【００６２】
これにより、期間Ａにおいて需要家装置１５１Ａにより電力消費が抑制され、期間Ｂにおいて需要家装置１５１Ｂおよび需要家装置１５１Ｄによる電力消費が抑制され、期間Ｃにおいて需要家装置１５１Ｃにより電力消費が抑制される。
【００６３】
この結果、時刻ｔ１から時刻ｔ２の期間において、需要家装置１５１Ａ，１５１Ｂ，１５１Ｃ，１５１Ｄがそれぞれ設けられている電力需要施設における消費電力の合計（図３下の実線のグラフ）は、電力消費管理装置１０２による指示処理が行われなかったと仮定した場合における消費電力の合計（図３下の破線のグラフ）と比較して減少する。
【００６４】
なお、電力消費管理装置１０２は、既に指示情報を通知した需要家装置１５１以外の需要家装置１５１の中から、追加指示情報の通知先となる需要家装置１５１を選択しても良いし、既に指示情報を通知した需要家装置１５１を含む需要家装置１５１の中から、追加指示情報の通知先となる需要家装置１５１を選択しても良い。
【００６５】
すなわち、上述した例では、電力消費管理装置１０２は、追加指示情報の通知先として、既に指示情報を通知した需要家装置１５１Ａ，１５１Ｂ，１５１Ｃ以外の需要家装置１５１Ｄを選択したが、追加指示情報の通知先として、需要家装置１５１Ａ，１５１Ｂ，１５１Ｃのうちのいずれかの需要家装置１５１を選択しても良い。
【００６６】
（電力消費管理装置の構成）
図４は、本発明の実施の形態に係る電力消費管理システムの電力消費管理装置の構成を示す図である。
【００６７】
図４を参照して、電力消費管理装置１０２は、管理情報取得部１１と、指示部１２と、監視部１３と、基準情報取得部１４と、記憶部１５と、優先情報取得部１６と、選択用情報取得部１７とを含む。なお、記憶部１５は、電力消費管理装置１０２の外部に設けられていても良い。
【００６８】
管理情報取得部１１は、電力会社サーバ１０１から送信される電力管理情報を受信し、受信した電力管理情報を指示部１２へ出力する。
【００６９】
指示部１２は、管理情報取得部１１から電力管理情報を受けると、記憶部１５に記憶されている優先情報を優先情報取得部１６経由で取得する。この優先情報は、電力消費管理システム２０１に含まれる複数の需要家装置１５１にそれぞれ付与された優先度または優先順位を示す。
【００７０】
図５は、本発明の実施の形態に係る電力消費管理システムの電力消費管理装置における記憶部に記憶されている優先情報の一例を示す図である。
【００７１】
図５を参照して、優先情報は、たとえば、電力消費管理システム２０１に需要家装置１５１Ａ，１５１Ｂ，１５１Ｃ，１５１Ｄ，１５１Ｅ，１５１Ｆが含まれていること、需要家装置１５１Ａ，１５１Ｂ，１５１Ｃに優先度「１」が付与されていること、および、需要家装置１５１Ｄ，１５１Ｅ，１５１Ｆに優先度「２」が付与されていることを示す。なお、需要家装置１５１には、優先度に限らず、優先順位が付与されていても良い。
【００７２】
このような優先度または優先順位は、電力需要施設ごとの契約等により各需要家装置１５１に付与され、指示部１２による指示情報の通知先の選択において、これら優先度または優先順位が用いられる。
【００７３】
再び図４を参照して、指示部１２は、優先情報を用いて、たとえば優先度「１」が付与されている需要家装置１５１Ａ，１５１Ｂ，１５１Ｃを、指示情報の通知先として選択する。
【００７４】
また、指示部１２は、管理情報取得部１１から受けた電力管理情報に基づいて、たとえば電力需給の逼迫が予測される期間を、３０分間または１時間などの所定時間ごとに区切られた複数のサブ節電期間に分割し、分割した各サブ節電期間を、指示情報の通知先として選択した各需要家装置１５１に割り当てる。また、指示部１２は、各サブ節電期間における節電目標を設定する。そして、指示部１２は、指示情報の通知先として選択した各需要家装置１５１に、割り当てたサブ節電期間、および、設定した節電目標を示す指示情報を通知する。なお、指示部１２は、１つの需要家装置１５１に複数のサブ節電期間を割り当てても良い。また、指示情報の通知先として選択された需要家装置１５１の中には、サブ節電期間が１つも割り当てられない需要家装置１５１があっても良い。
【００７５】
基準情報取得部１４は、各電力需要施設における電力消費の基準となる基準電力消費情報を電力会社サーバ１０１から受信する。この基準電力消費情報は、たとえば、電力会社サーバ１０１により過去のデータに基づいて算出される、電力需要施設の電力消費量の基準となるベースライン（以下、単に「基準値」と称する）を示す。そして、基準情報取得部１４は、受信した基準電力消費情報を監視部１３へ出力する。
【００７６】
監視部１３は、指示部１２により１または複数の需要家装置１５１に割り当てられた各サブ節電期間と、各サブ節電期間における節電目標とを示す情報を指示部１２から受ける。また、監視部１３は、電力消費管理システム２０１に含まれる各需要家装置１５１から、対応する電力需要施設における消費電力情報をたとえば所定間隔で受信する。
【００７７】
そして、監視部１３は、各需要家装置１５１から受信した消費電力情報および基準情報取得部１４から受けた基準電力消費情報に基づいて、各サブ節電期間における節電目標が達成できる状況にあるか否かを継続して監視する。そして、監視部１３は、節電目標が達成できない状況にあると判断した場合、指示処理の内容の変更要求を指示部１２へ出力する。
【００７８】
指示部１２は、監視部１３から指示処理の内容の変更要求を受けると、記憶部１５に記憶されている選択用情報を選択用情報取得部１７経由で取得する。この選択用情報は、追加指示情報の通知先を選択する際に用いられる情報であり、たとえば、各需要家装置１５１に対する過去の指示情報の通知タイミングを示すタイミング情報である。
【００７９】
そして、指示部１２は、優先情報取得部１６から受けた優先情報と、選択用情報取得部１７から受けた選択用情報とを用いて、追加指示情報の通知先を選択する。たとえば、指示部１２は、優先度「２」が付与されている複数の需要家装置１５１の中から、過去の指示情報の通知タイミングが最も古い需要家装置１５１を、追加指示情報の通知先として選択する。
【００８０】
そして、指示部１２は、追加指示情報の通知先として選択した当該需要家装置１５１に要請する節電期間および節電目標を新たに設定し、設定した節電期間および節電目標を示す節電要請を、追加指示情報として当該需要家装置１５１に通知する。なお、追加指示情報が示す節電期間および節電目標と、既に通知された指示情報が示す節電期間および節電目標とが同じ内容であっても良い。
【００８１】
［動作］
次に、本発明の実施の形態に係る電力消費管理システム２０１の動作について説明する。
【００８２】
電力消費管理システム２０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００８３】
（電力消費管理動作）
図６は、本発明の実施の形態に係る機器管理システムによる電力消費管理の動作手順を示すシーケンス図である。
【００８４】
図６を参照して、まず、電力会社サーバ１０１は、たとえば電力需給の逼迫が予測される期間を示す電力管理情報を電力消費管理装置１０２へ送信する（ステップＳ１１）。
【００８５】
次に、電力消費管理装置１０２は、電力会社サーバ１０１から電力管理情報を受信すると、指示情報の通知先となる需要家装置１５１として、たとえば需要家装置１５１Ａ，１５１Ｂ，１５１Ｃを選択する（ステップＳ１２）。
【００８６】
次に、電力消費管理装置１０２は、電力需給の逼迫が予測される期間を複数のサブ節電期間に分割し、各サブ節電期間を、指示情報の通知先として選択した各需要家装置１５１に割り当てる。また、電力消費管理装置１０２は、各サブ節電期間における節電目標を設定する（ステップＳ１３）。
【００８７】
次に、電力消費管理装置１０２は、指示情報の通知先として選択した各需要家装置１５１に、サブ節電期間および節電目標を示す節電要請を指示情報として通知する。たとえば、電力消費管理装置１０２は、節電期間Ａおよび節電目標Ｇａを示す指示情報を需要家装置１５１Ａへ通知する（ステップＳ１４）。また、電力消費管理装置１０２は、節電期間Ｂおよび節電目標Ｇｂを示す指示情報を需要家装置１５１Ｂへ通知する（ステップ１５）。また、電力消費管理装置１０２は、節電期間Ｃおよび節電目標Ｇｃを示す指示情報を需要家装置１５１Ｃへ通知する（ステップＳ１６）。
【００８８】
次に、需要家装置１５１Ａは、電力消費管理装置１０２から受信した指示情報に従い、期間Ａにおいて節電目標Ｇａが満たされるように、自己が設けられている電力需要施設における電気機器の動作を制御する（ステップＳ１７）。
【００８９】
また、需要家装置１５１Ｂは、電力消費管理装置１０２から受信した指示情報に従い、期間Ｂにおいて節電目標Ｇｂが満たされるように、自己が設けられている電力需要施設における電気機器の動作を制御する（ステップＳ１８）。
【００９０】
また、需要家装置１５１Ｃは、電力消費管理装置１０２から受信した指示情報に従い、期間Ｃにおいて節電目標Ｇｂが満たされるように、自己が設けられている電力需要施設における電気機器の動作を制御する（ステップＳ１９）。
【００９１】
また、電力消費管理装置１０２は、期間Ａから期間Ｃにおいて、各需要家装置１５１から、対応する電力需要施設における消費電力情報を繰り返し受信し、受信した消費電力情報に基づいて、各サブ節電期間における節電目標が達成できる状況にあるか否かを継続して監視する監視処理を行う。
【００９２】
たとえば、電力消費管理装置１０２は、各電力需要施設における電力消費の基準となる基準電力消費情報を電力会社サーバ１０１から受信する。そして、電力消費管理装置１０２は、受信した基準電力消費情報と、各需要家装置１５１から受信した消費電力情報とを比較することにより、各サブ節電期間における節電目標が達成できる状況にあるか否かを判断する。
【００９３】
そして、電力消費管理装置１０２は、監視処理の結果、節電目標が達成できない状況にあると判断した場合、たとえば需要家装置１５１Ｄに追加指示情報を通知する。そして、需要家装置１５１Ｄは、電力消費管理装置１０２から受信した指示情報に従い、自己が設けられている電力需要施設における電気機器の動作を制御する（ステップＳ２０）。
【００９４】
（監視処理の詳細）
図７は、図６に示す監視処理の詳細な動作手順を示すフローチャートである。
【００９５】
図７を参照して、電力消費管理装置１０２は、まず、電力消費管理システム２０１に含まれる各需要家装置１５１から、対応する電力需要施設における消費電力情報を、たとえば１５分毎に受信する（ステップＳ２１）。
【００９６】
次に、電力消費管理装置１０２は、節電期間における電力需要施設の電力消費量の基準値を示す基準電力消費情報を、電力会社サーバ１０１から受信する（ステップＳ２２）。
【００９７】
次に、電力消費管理装置１０２は、たとえば需要家装置１５１から消費電力情報を受信する度に、当該消費電力情報に示される消費電力と、基準値との差を算出する。そして、電力消費管理装置１０２は、算出した値を、当該需要家装置１５１が抑制することのできた電力量（以下、「抑制実績量」とも称する）として取得する（ステップＳ２３）。
【００９８】
次に、電力消費管理装置１０２は、算出した抑制実績量と、節電期間における節電目標とを比較することにより、当該節電目標が達成できる状況にあるか否かを判断する。
【００９９】
たとえば、電力消費管理装置１０２は、節電目標が抑制すべき電力量を示している場合、抑制実績量を算出する度に、節電目標に示される抑制すべき電力量と、算出した抑制実績量との差Ｄ１（＝（節電目標に示される抑制すべき電力量）−（抑制実績量））を算出する。そして、電力消費管理装置１０２は、算出した差Ｄ１が閾値Ｔｈ以上である状態が所定時間以上継続する場合、当該節電目標が達成できない状況にあると判断する。一方、電力消費管理装置１０２は、算出した差Ｄ１が閾値Ｔｈ以上である状態が所定時間以上継続しない場合、当該節電目標が達成できる状況にあると判断する（ステップＳ２４）。
【０１００】
そして、電力消費管理装置１０２は、節電目標が達成できる状況にあると判断した場合（ステップＳ２４において「Ｙｅｓ」）、電力消費管理システム２０１に含まれる各需要家装置１５１から送信される消費電力情報を継続して受信する（ステップＳ２１）。
【０１０１】
一方、電力消費管理装置１０２は、節電目標が達成できない状況にあると判断した場合（ステップＳ２４において「Ｎｏ」）、指示処理の内容を変更する。
【０１０２】
具体的には、電力消費管理装置１０２は、優先情報と選択用情報とを用いて、追加指示情報の通知先となる需要家装置１５１を選択する（ステップＳ２５）。
【０１０３】
そして、電力消費管理装置１０２は、たとえば、需要家装置１５１毎の抑制実績量の合計が節電目標を上回るように、節電期間および節電目標を新たに設定する（ステップＳ２６）。そして、電力消費管理装置１０２は、新たに設定した節電期間および節電目標を示す追加指示情報を、選択した需要家装置１５１へ通知する（ステップＳ２７）。
【０１０４】
そして、電力消費管理装置１０２は、上述のような動作を、たとえば電力管理情報に示される電力需給の逼迫が予測される期間が終了するまで繰り返し行う。
【０１０５】
（基準値の算出処理）
図８は、本発明の実施の形態に係る電力消費管理システムの電力会社サーバによる基準値の算出に用いられるテーブルの一例を示す図である。
【０１０６】
図８を参照して、電力会社サーバ１０１は、過去の電力需要施設の電力消費量を１時間毎に計測し、計測した値をテーブルＴ１に記憶する。
【０１０７】
たとえば、テーブルＴ１には、２０１３年の１０月６日、１０月７日、１０月８日、１０月９日、１０月１０日のそれぞれにおいて、１３時〜１４時における電力需要施設の電力消費量が、それぞれ１００ｋＷｈ、９０ｋＷｈ、９５ｋＷｈ、１２０ｋＷｈ、１００ｋＷｈであることが記憶されている。
【０１０８】
また、テーブルＴ１には、２０１３年の１０月６日、１０月７日、１０月８日、１０月９日、１０月１０日のそれぞれにおいて、電力需要施設の電力消費量の１日の合計が、１２００ｋＷｈ、９５０ｋＷｈ、１１００ｋＷｈ、１５００ｋＷｈ、１１００ｋＷｈであることが記憶されている。
【０１０９】
電力会社サーバ１０１は、たとえば、電力需給の逼迫が予測される対象日の直前５日間のデータに基づいて、当該対象日の基準値を算出する。すなわち、電力会社サーバ１０１は、２０１３年１０月１１日の１３時〜１４時に電力需給が逼迫することが予測されているとすると、２０１３年の１０月６日から１０月１０日までの５日間のデータに基づいて、２０１３年１０月１１日の１３時〜１４時における基準値を算出する。
【０１１０】
具体的には、電力会社サーバ１０１は、２０１３年の１０月６日から１０月１０日までのそれぞれの日について、１３時〜１４時における電力需要施設の電力消費量、すなわち１０月６日の「１００ｋＷｈ」、１０月７日の「９０ｋＷｈ」、１０月８日の「９５ｋＷｈ」、１０月９日の「１２０ｋＷｈ」および１０月１０日の「１００ｋＷｈ」を抽出し、抽出したこれらの値の平均（＝（１００＋９０＋９５＋１２０＋１００）／５＝１０１ｋＷｈ）を算出する。そして、電力会社サーバ１０１は、算出したこの値を、２０１３年１０月１１日の１３時〜１４時における基準値とする。
【０１１１】
このように、電力会社サーバ１０１は、過去のデータに基づいて、節電期間における電力消費量の基準値を算出し、算出した基準値を電力消費管理装置１０２へ送信する。
【０１１２】
なお、電力会社サーバ１０１は、電力消費管理装置１０２により電力消費を管理される全ての電力需要施設による電力消費量のデータに基づいて基準値を算出しても良いし、電力消費管理装置１０２により電力消費を管理される電力需要施設のうちの一部の電力需要施設による電力消費量のデータに基づいて基準値を算出しても良い。
【０１１３】
また、電力会社サーバ１０１は、上記のような算出方法に限らず、他の算出方法を用いて基準値を算出しても良い。
【０１１４】
たとえば、電力会社サーバ１０１は、電力需給の逼迫が予測される対象日の直前５日間のうち、１日の電力消費量の合計が最も大きい日を特定する。そして、電力需給の逼迫が予測される時間帯が１３時〜１４時であるとすると、電力会社サーバ１０１は、特定した日の１３時〜１４時における電力消費量を、対象日の１３時〜１４時における基準値とすることができる。
【０１１５】
また、他の算出方法として、たとえば、電力会社サーバ１０１は、電力需給の逼迫が予測される対象日の直前５日間のうち、時間毎の電力消費量の分散が最も大きい１日を除外する。そして、電力需給の逼迫が予測される時間帯が１３時〜１４時であるとすると、電力会社サーバ１０１は、残りの４日間を対象として、１３時〜１４時における電力需要施設の電力消費量の平均を算出する。そして、電力会社サーバ１０１は、算出した値を対象日の１３時〜１４時における基準値とすることができる。
【０１１６】
また、電力会社サーバ１０１が基準値を算出する構成に限らず、たとえば電力消費管理装置１０２が上記のような各種算出方法を用いて基準値を算出する構成であっても良い。
【０１１７】
（追加指示情報の通知先の選択方法）
次に、電力消費管理装置１０２による追加指示情報の通知先の具体的な選択方法について説明する。
【０１１８】
（ｉ）具体例１
電力消費管理装置１０２は、選択用情報として、たとえば電力消費管理システム２０１に含まれる一部または全部の需要家装置１５１に対する過去の指示情報の通知タイミングを示すタイミング情報を記憶する。この場合、電力消費管理装置１０２の選択用情報取得部１７は、タイミング情報取得部として機能する。
【０１１９】
そして、電力消費管理装置１０２は、追加指示情報の通知先を選択する際、たとえば、優先度「２」が付与された複数の需要家装置１５１のうち、通知タイミングが古い需要家装置１５１を追加指示情報の通知先として優先的に選択する。
【０１２０】
（ｉｉ）具体例２
また、電力消費管理装置１０２は、選択用情報として、たとえば電力消費管理システム２０１に含まれる一部または全部の需要家装置１５１について、電力会社との間で契約している契約電力量、または、各需要家装置１５１が電力会社から供給を受けた電力供給量を示す電力量情報を記憶する。この場合、電力消費管理装置１０２の選択用情報取得部１７は、電力量情報取得部として機能する。
【０１２１】
そして、電力消費管理装置１０２は、追加指示情報の通知先を選択する際、たとえば、優先度「２」が付与された複数の需要家装置１５１のうち、契約電力量または供給電力量が大きい需要家装置１５１を追加指示情報の通知先として優先的に選択する。
【０１２２】
（ｉｉｉ）具体例３
また、電力消費管理装置１０２は、選択用情報として、たとえば、過去に需要家装置１５１に指示情報を通知したときの、当該需要家装置１５１による電気機器の動作の制御内容、対応の電力需要施設における消費電力、気象情報およびイベント情報等を取得する。
【０１２３】
図９は、本発明の実施の形態に係る電力消費管理システムの電力消費管理装置に記憶される、過去に指示情報を通知した需要家装置による電気機器の動作の制御内容等を含むテーブルの一例を示す図である。また、図１０は、本発明の実施の形態に係る電力消費管理システムの電力消費管理装置に記憶される、各電力需要施設のイベント情報を含むテーブルの一例を示す図である。
【０１２４】
図９を参照して、電力消費管理装置１０２は、過去に指示情報を通知した需要家装置１５１と、指示情報を通知した日時と、指示情報の通知を受けた需要家装置１５１による電気機器の制御内容と、当該制御内容が行われた際の対応の電力需要施設における消費電力と、指示情報を通知したときの気象情報およびイベント情報とを対応づけた複数のエントリを含むテーブルＴ２を記憶する。
【０１２５】
また、図１０を参照して、電力消費管理装置１０２は、各電力需要施設において行われる予定であるイベント情報を含むテーブルＴ３を記憶する。
【０１２６】
電力消費管理装置１０２は、テーブルＴ３を参照して、節電期間における各電力需要施設のイベント情報を確認する。また、電力消費管理装置１０２は、インターネット等を介して当該節電期間の天気予報などの気象情報を取得する。
【０１２７】
電力消費管理装置１０２は、たとえば２０１３年１０月１１日の１３時〜１４時が節電期間であるとすると、テーブルＴ３を参照して、２０１３年１０月１１日の１３時〜１４時において需要家装置１５１Ａが設けられている電力需要施設ではイベント「無し」であり、需要家装置１５１Ｂが設けられている電力需要施設ではイベント「全体会合」が行われる予定であることを確認する。また、電力消費管理装置１０２は、天気予報等に基づいて、２０１３年１０月１１日の１３時〜１４時の気温「３２℃」、湿度「８０％」、天気「晴れ」を示す情報を取得する。
【０１２８】
また、電力消費管理装置１０２は、図９に示すテーブルＴ２を参照して、たとえば、需要家装置１５１Ａ，１５１Ｂのそれぞれについて、テーブルＴ２に含まれる複数のエントリの中から、節電期間の気象およびイベントと同一または近似している気象およびイベントを含むエントリを１つ以上選択する。
【０１２９】
たとえば、電力消費管理装置１０２は、需要家装置１５１Ａについて、テーブルＴ２に含まれるエントリ「Ａ１」，「Ａ２」，「Ａ３」の中から、エントリ「Ａ１」およびエントリ「Ａ２」を選択する。また、たとえば、電力消費管理装置１０２は、需要家装置１５１Ｂについて、テーブルＴ２に含まれるエントリ「Ｂ１」，「Ｂ２」，「Ｂ３」の中から、エントリ「Ｂ１」およびエントリ「Ｂ２」を選択する。
【０１３０】
そして、電力消費管理装置１０２は、選択したエントリの中から、気象およびイベントが節電期間における気象およびイベントと最も近似している１つのエントリ（以下、「最適エントリ」と称する）を、需要家装置１５１ごとに選択する。
【０１３１】
すなわち、電力消費管理装置１０２は、節電期間における気温を「Ｔｐｒｅｄｉｃｔ」とし、選択したエントリに含まれる気温を「Ｔｐａｓｔ」とし、節電期間における湿度を「Ｈｐｒｅｄｉｃｔ」とし、選択したエントリに含まれる湿度を「Ｈｐａｓｔ」とすると、以下の式における差Ｄ２が最も小さくなるエントリを最適エントリとして選択する。
Ｄ２＝（Ｔｐｒｅｄｉｃｔ−Ｔｐａｓｔ）×Ｗ１＋（Ｈｐｒｅｄｉｃｔ−Ｈｐａｓｔ）×Ｗ２＋Ｅｖｅｎｔ
【０１３２】
なお、上記の式において、「Ｅｖｅｎｔ」は、節電期間のイベントと、選択したエントリに含まれるイベントとが一致する場合には負の値となり、節電期間のイベントと、選択したエントリに含まれるイベントとが一致しない場合には正の値となる。さらに、「Ｗ１」および「Ｗ２」は、重み付けのために用いられる定数である。
【０１３３】
たとえば、電力消費管理装置１０２は、エントリ「Ａ２」を最適エントリとして選択した場合、２０１３年１０月１１日の１３時〜１４時に需要家装置１５１Ａが指示情報の通知を受けると、需要家装置１５１Ａは空調の設定温度を１℃上昇させる制御を行う可能性が高いと推測することができる。そして、電力消費管理装置１０２は、需要家装置１５１Ａがこのような制御を行うことにより、需要家装置１５１Ａが設けられている電力需要施設の消費電力が「１００ｋＷｈ」となる可能性が高いと推測することができる。
【０１３４】
また、たとえば、電力消費管理装置１０２は、エントリ「Ｂ２」を最適エントリとして選択した場合、２０１３年１０月１１日の１３時〜１４時において需要家装置１５１Ｂが指示情報の通知を受けると、需要家装置１５１Ｂは空調の設定温度を２℃上昇させる制御を行う可能性が高いと推測することができる。そして、電力消費管理装置１０２は、需要家装置１５１Ｂがこのような制御を行うことにより、需要家装置１５１Ｂが設けられている電力需要施設の消費電力は「５０ｋＷｈ」となる可能性が高いことを推測することができる。
【０１３５】
そして、電力消費管理装置１０２は、基準電力消費情報を電力会社サーバ１０１から受信し、受信した基準電力消費情報に示される節電期間における基準値と、最適エントリに含まれる消費電力との差を、抑制することが可能であると推定される電力量（以下、「抑制可能量」と称する）として算出する。なお、電力消費管理装置１０２は、電力消費管理システム２０１に含まれる一部または全部の需要家装置１５１について、上記のような抑制可能量の算出を行う。
【０１３６】
そして、電力消費管理装置１０２は、追加指示情報の通知先を選択する際、たとえば、優先度「２」が付与された複数の需要家装置１５１のうち、抑制可能量が大きい需要家装置１５１を追加指示情報の通知先として優先的に選択する。
【０１３７】
なお、電力消費管理装置１０２は、ニュートラルネットワークまたは自己回帰分析などの技術を用いて、各電力需要施設における節電期間の消費電力を予測する構成であっても良い。そして、この場合、電力消費管理装置１０２は、予測した消費電力（以下、「予測値」と称する）と、最適エントリに含まれる消費電力との差を、抑制可能量として算出することができる。
【０１３８】
（ｉｖ）具体例４
また、電力消費管理装置１０２は、選択用情報として、たとえば電力消費管理システム２０１に含まれる一部または全部の需要家装置１５１について、節電期間における予測値を取得する。この場合、電力消費管理装置１０２の選択用情報取得部１７は、予測値取得部として機能する。
【０１３９】
そして、電力消費管理装置１０２は、取得した予測値と、節電期間における基準値との差Ｄ３を算出し、追加指示情報の通知先を選択する際、たとえば、優先度「２」が付与された複数の需要家装置１５１のうち、算出した差Ｄ３が大きい需要家装置１５１を追加指示情報の通知先として優先的に選択する。
【０１４０】
（ｖ）具体例５
また、電力消費管理装置１０２は、選択用情報として、たとえば電力消費管理システム２０１に含まれる一部または全部の需要家装置１５１について、直前のＮ時間分の電力供給量を示す情報を取得する。そして、電力消費管理装置１０２は、取得した直前のＮ時間分の電力供給量と、直前のＮ時間分の基準値との差Ｄ４を算出し、追加指示情報の通知先を選択する際、たとえば、優先度「２」が付与された複数の需要家装置１５１のうち、算出した差Ｄ４が大きい需要家装置１５１を追加指示情報の通知先として優先的に選択する。
【０１４１】
なお、電力消費管理装置１０２は、上述した具体例１から具体例５までのいずれか１つの方法に限らず、たとえば、これら具体例１から具体例５までの方法のうちいずれか２つ以上の方法を組み合わせて、追加指示情報の通知先を選択しても良い。
【０１４２】
また、上述した具体例１から具体例５までの方法では、優先度「２」が付与された需要家装置１５１の中から追加指示情報の通知先となる需要家装置１５１を選択しているが、このような構成に限定されず、たとえば優先度「１」が付与されている需要家装置１５１の中から追加指示情報の通知先を選択しても良い。
【０１４３】
また、電力消費管理装置１０２は、選択期間前に通知する指示情報の通知先となる需要家装置１５１を、上述した具体例１から具体例５までの方法を用いて選択しても良い。
【０１４４】
（変形例）
また、電力消費管理装置１０２は、追加指示情報を通知する際、電気機器の制御内容を需要家装置１５１に対して指示する構成であっても良い。
【０１４５】
詳細には、電力消費管理装置１０２は、図９に示すテーブルＴ２を参照して、このテーブルＴ２に含まれる複数のエントリの中から、節電期間の気象およびイベントと同一または近似している気象およびイベントを含むエントリを１つ以上選択する。また、電力消費管理装置１０２は、ニュートラルネットワークまたは自己回帰分析などの技術を用いて、追加指示情報の通知先となる需要家装置１５１について、節電期間の消費電力の予測値を取得する。
【０１４６】
そして、電力消費管理装置１０２は、取得した予測値と、選択した各エントリに含まれる消費電力との差Ｄ５を算出する。この差Ｄ５は、各エントリに含まれる電気機器の制御内容を実行した場合に抑制することが可能であると推定される電力量に相当する。
【０１４７】
また、電力消費管理装置１０２は、需要家装置１５１毎の抑制実績量の合計が節電目標を上回るように、追加指示情報の通知先に要請する節電目標を新たに設定する。
【０１４８】
そして、電力消費管理装置１０２は、各エントリについて算出した差Ｄ５と、新たに設定した節電目標とに基づいて、当該節電目標を達成するために最適なエントリを選択し、選択したエントリに含まれる電気機器の制御内容、たとえば「空調の設定温度を１℃上昇させる」という電気機器の制御内容を、追加指示情報の通知先である需要家装置１５１に指示することができる。
【０１４９】
ところで、上述した非特許文献１に記載の機器管理システムのように複数の電力需要施設における電力消費を管理するシステムでは、電力需給の逼迫が予測される場合等に、各施設の需要家に対して節電要請を予め送信しておくことができる。
【０１５０】
しかしながら、当該節電要請を受信した需要家が、対象期間において当該節電要請に従った電力消費の抑制を行うことが困難な状況となる場合があり、このような場合、適切な電力制御を行うことができないという問題がある。
【０１５１】
これに対して、本発明の実施の形態に係る電力消費管理システム２０１における電力消費管理装置１０２では、管理情報取得部１１が、１または複数の電力供給側から電力消費に関する電力管理情報を取得する。また、指示部１２が、電力管理情報に基づいて、電力需要施設における電力消費に関する指示情報を電力需要施設に通知する指示処理を行う。また、監視部１３が、指示情報を通知した電力需要施設における電力消費を監視する。また、指示部１２は、電力管理情報および監視部１３の監視結果に基づいて、指示処理の内容を変更する。
【０１５２】
このように、指示情報の通知先である電力需要施設における電力消費の制御状況をリアルタイムで監視し、監視結果および電力管理情報に基づいて指示処理の内容を変更する構成により、電力需要施設における電力消費を状況に応じて適切に制御することができる。
【０１５３】
また、本発明の実施の形態に係る電力消費管理システム２０１における電力消費管理装置１０２では、指示部１２は、指示処理の内容の変更として、１または複数の新たな電力需要施設に新たな指示情報を通知するか、または、指示情報を通知した電力需要施設に異なる内容の指示情報を通知する。
【０１５４】
このように、たとえば、通知された指示情報に従った電力消費制御を行うことが困難な電力需要施設が存在する場合であっても、他の電力需要施設に対する新たな指示情報の通知または同一の電力需要施設に対する異なる内容の指示情報の通知を行うことにより、電力供給側からの要請等に応じた電力消費の制御を行うことができる。
【０１５５】
また、本発明の実施の形態に係る電力消費管理システム２０１における電力消費管理装置１０２では、基準情報取得部１４が、電力需要施設における電力消費の基準となる基準電力消費情報を取得する。また、指示部１２が、電力管理情報と、監視部１３の監視結果と、基準電力消費情報とに基づいて、指示処理の内容を変更する。
【０１５６】
このように、電力管理情報と、監視部の監視結果とに加えて、電力需要施設における電力消費の基準を考慮して指示処理の内容を変更するか否かを判断する構成により、指示処理の内容の変更の必要性をより適切に判断することができる。
【０１５７】
また、本発明の実施の形態に係る電力消費管理システム２０１における電力消費管理装置１０２では、優先情報取得部１６が、各電力需要施設に付与された優先度または優先順位を示す優先情報を取得する。また、指示部１２が、優先情報に基づいて、各電力需要施設の中から新たな指示情報を通知すべき電力需要施設を選択する。
【０１５８】
このような構成により、新たな指示情報の通知先として優先的に選択すべき電力需要施設を容易に判断することができる。
【０１５９】
また、本発明の実施の形態に係る電力消費管理システム２０１における電力消費管理装置１０２では、タイミング情報取得部１７が、電力需要施設に対して過去に指示情報を通知したタイミングを示すタイミング情報を取得する。また、指示部１２は、優先情報およびタイミング情報の少なくともいずれか一方に基づいて、各電力需要施設の中から新たな指示情報を通知すべき電力需要施設を選択する。
【０１６０】
このような構成により、たとえば同一の電力需要施設に対して複数回連続して指示情報を通知することを避け、複数の電力需要施設間での電力削減の偏りを防ぐことができる。
【０１６１】
また、本発明の実施の形態に係る電力消費管理システム２０１における電力消費管理装置１０２では、電力量情報取得部１７が、電力需要施設の電力供給側から供給される電力量に関する電力量情報を取得する。また、指示部１２は、優先情報および電力量情報の少なくともいずれか一方に基づいて、各電力需要施設の中から新たな指示情報を通知すべき電力需要施設を選択する。
【０１６２】
このような構成により、電力供給側から供給される電力量が大きい電力需要施設など、比較的容易に電力消費の抑制等を行うことが可能な電力需要施設を、新たな指示情報の通知先として選択することができる。
【０１６３】
また、本発明の実施の形態に係る電力消費管理システム２０１における電力消費管理装置１０２では、基準情報取得部１４が、電力需要施設における電力消費の基準となる基準電力消費情報を取得する。また、指示部１２が、基準電力消費情報と電力需要施設における電力消費を監視した結果との比較を、複数の電力需要施設の各々について行い、優先情報および比較結果の少なくともいずれか一方に基づいて、比較した各電力需要施設の中から新たな指示情報を通知すべき電力需要施設を選択する。
【０１６４】
このように、電力消費の基準となる情報と電力需要施設における実際の電力消費とを比較することにより、たとえば当該電力需要施設において抑制することのできる電力量を把握し、新たな指示情報の通知先として適切な電力需要施設を選択することができる。
【０１６５】
また、本発明の実施の形態に係る電力消費管理システム２０１における電力消費管理装置１０２では、予測値取得部１７が、電力需要施設における電力消費の予測値を取得する。また、指示部１２が、予測値と電力需要施設における電力消費を監視した結果との比較を、複数の電力需要施設の各々について行い、優先情報および比較結果の少なくともいずれか一方に基づいて、比較した各電力需要施設の中から新たな指示情報を通知すべき電力需要施設を選択する。
【０１６６】
このように、電力需要施設による電力消費の予測値と当該電力需要施設における実際の電力消費とを比較することにより、たとえば当該電力需要施設において抑制することのできる電力量を把握し、新たな指示情報の通知先として適切な電力需要施設を選択することができる。
【０１６７】
また、本発明の実施の形態に係る電力消費管理システム２０１における電力消費管理装置１０２では、基準情報取得部１４が、電力需要施設における電力消費の基準となる基準電力消費情報を取得する。また、予測値取得部１７が、電力需要施設における電力消費の予測値を取得する。また、指示部１２が、基準電力消費情報と予測値との比較を、複数の電力需要施設の各々について行い、優先情報および比較結果の少なくともいずれか一方に基づいて、比較した各電力需要施設の中から新たな指示情報を通知すべき電力需要施設を選択する。
【０１６８】
このように、電力需要施設による電力消費の予測値と電力消費の基準となる情報との比較を行うことにより、当該電力需要施設における電力消費の傾向を把握することができるため、新たな指示情報の通知先として適切な電力需要施設を選択することができる。
【０１６９】
また、本発明の実施の形態に係る電力消費管理システム２０１における電力消費管理装置１０２では、基準情報取得部１４が、電力需要施設における電力消費の基準となる基準電力消費情報を取得する。また、指示部１２が、監視部１３による監視結果と基準電力消費情報との比較を、複数の電力需要施設の各々について行い、優先情報および比較結果の少なくともいずれか一方に基づいて、比較した各電力需要施設の中から新たな指示情報を通知すべき電力需要施設を選択する。
【０１７０】
このように、電力需要施設による現時点における電力消費の監視結果と、電力消費の基準となる情報との比較を行うことにより、現時点における電力需要施設による電力消費の傾向を把握することができるため、新たな指示情報の通知先として適切な電力需要施設を選択することができる。
【０１７１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７２】
以上の説明は、以下に付記する特徴を含む。
【０１７３】
［付記１］
複数の電力需要施設における電力消費を管理する電力消費管理装置であって、
１または複数の電力供給側から電力消費に関する電力管理情報を取得する管理情報取得部と、
前記電力管理情報に基づいて、前記電力需要施設における電力消費に関する指示情報を前記電力需要施設に通知する指示処理を行う指示部と、
前記指示情報を通知した前記電力需要施設における電力消費を監視する監視部とを備え、
前記指示部は、前記電力管理情報および前記監視部の監視結果に基づいて、前記指示処理の内容を変更し、
前記電力管理情報は、電力需給の逼迫が予想される期間を示す情報、日別もしくは時間帯別の電気料金情報、または、電力の節電要請を示す情報であり、
前記指示部は、前記電力需要施設に設けられたＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）における需要家装置に前記指示情報を通知する、電力消費管理装置。
【符号の説明】
【０１７４】
１１  管理情報取得部
１２  指示部
１３  監視部
１４  基準情報取得部
１５  記憶部
１６  優先情報取得部
１７  選択用情報取得部（タイミング情報取得部または予測値取得部）
１０１  電力会社サーバ
１０２  電力消費管理装置
１５１  需要家装置
２０１  電力消費管理システム
【図１】
2015116038.tif 000003
【図２】
2015116038.tif 000004
【図３】
2015116038.tif 000005
【図４】
2015116038.tif 000006
【図５】
2015116038.tif 000007
【図６】
2015116038.tif 000008
【図７】
2015116038.tif 000009
【図８】
2015116038.tif 000010
【図９】
2015116038.tif 000011
【図１０】
2015116038.tif 000012